(57)【特許請求の範囲】
【請求項１】
軟質材で成型されたワームへの貫通を目的とした先端部と、網目状帯部分を有することを特徴とする釣り針係止冶具。
【請求項２】
軟質材で成型されたワームへの貫通を目的とした先端部と、網目状帯部分と、錘と、上記網目状帯部分と上記錘を接続するための手段を有することを特徴とする釣り針係止冶具。
【請求項３】
軟質材で成型されたワームへの貫通を目的とした先端部と、網目状帯部分と、フェザーと、上記網目状帯部分と上記フェザーを接続するための手段を有することを特徴とする釣り針係止冶具。
【請求項４】
軟質材で成型されたワームへの貫通を目的とした先端部と、網目状帯部分と、輪状の冶具と、上記網目状帯部分と上記輪状の冶具を接続するための手段を有することを特徴とする釣り針係止冶具。
【請求項５】
軟質材で成型されたワームへの貫通を目的とした先端部と、網目状帯部分と、ヨリ戻し付きアイと、上記網目状帯部分と上記ヨリ戻し付きアイを接続するための手段を有することを特徴とする釣り針係止冶具。
【発明の詳細な説明】
【技術分野】
【０００１】
本発明は、ルアーフィッシングで用いられる、軟質材からなるワームの内部に挿入することを目的とした釣り針係止冶具に関するものである。
【背景技術】
【０００２】
一般的にワームと呼ばれる軟質材で成型された疑似餌(ルアー)は、釣り針をセットする際に、ワームの内部に釣り針を貫通させて使用するため、ルアーフィッシングにおけるキャスト動作を繰り返したり、魚が掛かったりした場合に、その素材の柔らかさから、ワームが裂けたり、釣り針がセットした位置からずれたり、といったように、釣り針の位置を一定の位置に係止することが難しいという問題があった。さらに、釣り動作を続けていると、釣り針を貫通させた箇所に応力が集中し、釣り針をワームに貫通させた箇所が、裂けたり、身切れしたりすることで、ワームそのものがキャストの反動によって、身が切れて飛んでいったり、また前記身切れしたワームが水中に残されるといった課題があった。
【０００３】
従来から、ワームに釣り針をセットする方法については、様々な方法が考えられてきた。
図１０は、従来の釣り針のセット方法を示した図である。図１０に示すセット方法は、一般的にネコリグと称されるセット方法で、１０１は、ワーム、１０２は、釣り針、１０３は、釣り針１０２をワーム１０１に貫通させた際に生じる穴を示す。図１０において、ワーム１０１の胴体中心に釣り針１０２を貫通させ、釣り針１０２をセットした場合、キャスト時に釣り針１０２の軸に応力が集中し、ワーム１０１の素材である軟質材の柔らかさゆえ、釣り針１０２の軸をワーム１０１に貫通させた穴１０３が、拡がったり、裂けたりするため、キャスト動作を続けると、釣り針１０２の位置を係止しにくくなったり、ワーム１０１が身切れする原因となる。
また、図１１は、熱収縮チューブを用いた釣り針のセット方法を示した図である。図１１において、１０１と１０２は、図１０と同じで、１０４は、ワーム１０１の外形寸法に合うように収縮させた熱収縮チューブを示す。さらに詳しく、熱収縮チューブのセット方法について説明すると、ワーム１０１の外径寸法より十分大きい内径の熱収縮チューブを、数ミリ幅にカットする。次に、ワーム１０１の外径に熱収縮チューブ１０４を通し、釣り針１０２をセットしたい位置で、熱を加えることで、ワーム１０１の胴体の直径近くまで、熱収縮チューブ１０４を収縮させる。ここで、前記熱収縮チューブ１０４とワーム１０１の胴体との隙間に、釣り針１０２を通すことで、釣り針１０２をセットすることができる。
しかしながら、上述したセット方法では、ワーム１０１の裂けや、身切れを防止することは可能であるが、ワーム１０１の胴体と、熱収縮チューブ１０４の隙間に、釣り針１０２を通すセット方法であるため、しっかりと釣り針１０２を係止することは難しく、釣りの動作を続けるうちに、前記隙間から釣り針１０２が、抜けてしまったり、熱収縮チューブ１０４がワーム１０１の胴体から抜けてしまったりする、といった問題があった。
さらに、図１２は、ジグヘッドワッキーと呼ばれる釣り針のセット方法を示した図である。図１２において、１０５は、釣り針と錘が一体成型されたジグヘッドと呼ばれる釣り針、１０６は、ジグヘッド１０５に結合された釣り糸を示す。ここで、ワーム１０１にジグヘッド１０５をセットする方法としては、図１０や、図１１で説明したセット方法が一般的に用いられているが、ジグヘッド１０５の構造上、必ず錘の部分が上にくるため、釣りの動作において、魚を誘う動きをしようとした場合、釣り糸１０６が結合された前記錘部分を起点に、ジグヘッド１０５がセットされたワーム１０１が動くため、一般的な釣りの仕掛けのように、錘部分が下にある場合と比較して、不自然な動きになるという課題があった。
【０００４】
また、特許文献１参照のルアー釣り用ワーム仕掛けは、従来の釣り針係止冶具の一例を示し、ワームと、前記ワームに設けられる重り（錘）と、釣り針を係止するための係止部と、前記錘と、係止部を連結するための連結部から構成されており、釣りの動作を続けることによって生じるワームの身切れを防止することを目的としている。しかし、前記ワーム仕掛けにおける連結部は、インサート成型を前提としており、前記連結部の長さを可変することができない。つまり、前記連結部の長さによって、釣り針を係止する位置が事実上決定されることとなり、釣り針の係止位置を任意に設定することができないという問題があった。
【先行技術文献】
【特許文献】
【０００５】
【特許文献１】特開２００６−１１５７４７号公報
【発明の概要】
【発明が解決しようとする課題】
【０００６】
解決しようとする問題点は、ワームを用いたルアーフィッシングの動作において、従来の釣り針のセット方法では、キャスト動作や、釣りの動作を繰り返すと、ワーム素材特有の柔らかさから、ワーム素材が裂けたり、身切れしたりして使用できなくなる頻度が、どうしても多くなるということである。ワームが裂けたり、身切れしたりした場合は、ワームを新品に交換するか、ワームに対して、釣り針をセットする位置を変更する必要があった。
【課題を解決するための手段】
【０００７】
本発明は、上記課題を解決するためになされたものであり、本発明における網目状帯部分を、ワームに内蔵することで、釣りの動作を続けることによって、ワームが裂けたり、身切れしたり、ワームに釣り針をセットした位置がずれたり、しにくくなることを目的としている。
本発明の請求項１に関わる釣り針係止冶具は、ワーム素材への貫通を目的とした先端部と、ワームの内部に挿入するための網目状帯部分を有するものであり、前記ワーム内部に挿入した網目状帯部分に釣り針をセットすることで、ワームの裂けや、身切れを防止し、釣り針のセット位置を安定させるものである。
本発明の請求項２に関わる釣り針係止冶具は、ワーム素材への貫通を目的とした先端部と、ワームの内部に挿入するための網目状帯部分と、錘と、上記帯部分と上記錘を接続するための手段を有するものであり、前記ワーム内部に挿入した網目状帯部分に釣り針をセットすることで、ワームの裂けや、身切れを防止し、釣り針のセット位置を安定させるものである。
本発明の請求項３に関わる釣り針係止冶具は、ワーム素材への貫通を目的とした先端部と、ワームの内部に挿入するための網目状帯部分と、フェザーと、上記帯部分と上記フェザーを接続するための手段を有するものであり、前記ワーム内部に挿入した網目状帯部分に釣り針をセットすることで、ワームの裂けや、身切れを防止し、釣り針のセット位置を安定させるものである。
本発明の請求項４に関わる釣り針係止冶具は、ワーム素材への貫通を目的とした先端部と、ワームの内部に挿入するための網目状帯部分と、輪形状の冶具（アイ）と、上記帯部分と上記アイを接続するための手段を有するものであり、前記ワーム内部に挿入した網目状帯部分に釣り針をセットすることで、ワームの裂けや、身切れを防止し、釣り針のセット位置を安定させつつ、アイに錘等を装着したりできるものである。
本発明の請求項５に関わる釣り針係止冶具は、ワーム素材への貫通を目的とした先端部と、ワームの内部に挿入するための網目状帯部分と、ヨリ戻し付きアイと、上記帯部分と上記ヨリ戻し付きアイを接続するための手段を有するものであり、前記ワーム内部に挿入した網目状帯部分に釣り針をセットすることで、ワームの裂けや、身切れを防止し、釣り針のセット位置を安定させつつ、ヨリ戻し付きアイに錘等を装着したりできるものである。
【発明の効果】
【０００８】
本発明は、以上説明したように構成されているので、以下に示すような効果を奏する。
請求項１の発明においては、先端部と、ワームの内部に貫通させ、貫通した前記先端部を引っ張ることで、網目状帯部分をワーム内部に挿入し、ワームからはみ出している部分をカットすることで、網目状帯部分をワームに内蔵することができる。
請求項２の発明においては、先端部と、ワームの内部に貫通させ、貫通した前記先端部を引っ張ることで、網目状帯部分をワーム内部に挿入し、ワームからはみ出している先端部だけをカットすることで、網目状帯部分をワームに内蔵すると同時に、ワームに錘をセットすることができる。
請求項３の発明においては、先端部と、ワームの内部に貫通させ、貫通した前記先端部を引っ張ることで、網目状帯部分をワーム内部に挿入し、ワームからはみ出している先端部だけをカットすることで、網目状帯部分をワームに内蔵すると同時に、ワームにフェザーをセットすることができる。
請求項４の発明においては、先端部と、ワームの内部に貫通させ、貫通した前記先端部を引っ張ることで、網目状帯部分をワーム内部に挿入し、ワームからはみ出している先端部だけをカットすることで、網目状帯部分をワームに内蔵すると同時に、ワームに錘等をセットするための、アイをセットすることができる。
請求項５の発明においては、先端部と、ワームの内部に貫通させ、貫通した前記先端部を引っ張ることで、網目状帯部分をワーム内部に挿入し、ワームからはみ出している先端部だけをカットすることで、網目状帯部分をワームに内蔵すると同時に、ワームに錘等をセットするための、ヨリ戻し付きアイをセットすることができる。
【図面の簡単な説明】
【０００９】
【図１】図１は釣り針係止冶具の構成を示した図である。（実施の形態１）
【図２】図２はワームに釣り針係止冶具を挿入した際の構成を示した図である。（実施の形態１）
【図３】図３はワームに釣り針係止冶具を挿入し、釣り針をセットした状態を示した図である。（実施の形態１）
【図４】図４は釣り針係止冶具の構成を示した図である。（実施の形態２）
【図５】図５はワームに釣り針係止冶具を挿入し、釣り針をセットした状態を示した図である。（実施の形態２）
【図６】図６は釣り針係止冶具の構成を示した図である。（実施の形態３）
【図７】図７は釣り針係止冶具の構成を示した図である。（実施の形態４）
【図８】図８は釣り針係止冶具に錘をセットした際の構成を示した図である。（実施の形態４）
【図９】図９は釣り針係止冶具の構成を示した図である。（実施の形態５）
【図１０】図１０は従来の釣り針セット方法を示した図である。
【図１１】図１１は従来の熱収縮チューブを用いた釣り針セット方法を示した図である。
【図１２】図１２は従来の釣り針セット方法を示した図である。
【発明を実施するための形態】
【００１０】
網目状帯部分をワームの内部に挿入することによって、軟質ゴムや軟質プラスチック等の軟質材で成型されたワームに、釣り針をセットする際、ワームの裂けや身切れを抑制しつつ、安定して釣り針を係止することを実現した。
【実施例】
【００１１】
図１は、本発明の実施の形態１を示した図である。図１において、１は、軟質材で成型されたワームに貫通させるための先端部、２は、ワームの内部に挿入することを目的とした網目状帯部分を示す。先端部１は、接着剤や半田等で、ワームを貫通させる程度の強度を有している。
【００１２】
図２は、釣り針係止冶具をワームにセットした状態を示したもので、１と２は図１と同じで、３は、ワーム、４は、不要な部分をカットされて、ワーム３に内蔵された網目状帯部分を示す。図２において、先端部１を、ワーム３における、釣り針をセットしたい任意の位置に刺し込み、先端部１がワーム３の外径に達するまで、十分に刺し込むことで、ワーム３の内部に、網目状帯部分２が挿入されることになる。ここで図２に示した点線部分で、網目状帯部分２が、ワーム３からはみ出した部分をカットすると、ワーム３に、網目状帯部分４が、内蔵されることになる。ここで、ワーム３に網目状帯部分４を内蔵するためには、網目状帯部分２の幅が、ワーム３の外径寸法を超えないようにする必要があることは、明らかである。さらに説明すると、ワーム３の外形寸法に対して、網目状帯部分２の幅を内蔵に適した幅のものを選択することが望ましい。以上のことから、本発明の実施の形態１における網目状帯部分２の幅を限定するものではない。
【００１３】
図３は、図２で示した網目状帯部分４をワームに内蔵したものに、釣り針をセットした例を示したものである。図において、３は、ワーム、４は、内蔵されて、かつ、不要な部分がカットされた網目状帯部分、５は、釣り針、６は、釣り針５をワーム３に貫通させた場合に生じる穴を示す。次に、図３における釣り針のセット方法について説明する。まず、釣り針５の先端を、ワーム３の外側から差し込み、ワーム３に穴６を開け、さらに差し込んでいく。次に、網目状帯部分４における網目の隙間を通し、さらに、ワームの外径に達するまで貫通させることで、穴６を開ける。従来例の図１０で示したワーム１０１は、釣り針１０２を貫通させることによって生じた穴１０３に、釣り動作を繰り返すことによって、応力が集中し、穴１０３が拡がったり、ワーム１０１が身切れしたりする原因となっていたが、上述したように、網目状帯部分４をワーム３の内部に内蔵することで、釣り針５を介して、穴６に集中する応力が、網目状帯部分４全体で受け止めることが可能となり、応力が２つの穴６に集中することなく、ワーム３の断面積全体で受け止めることと同様の効果を得ることができる。また、網目状帯部分４の幅が、ワーム３の断面積に対して、平面状に食いついている状態となるため、穴６のように２点ではなく、網目状帯部分４のように面で応力を受け止めることで、応力を分散することができる。結果として、ルアーフィッシングにおけるキャスト動作を繰り返したり、魚が掛かったりすることを繰り返しても、ワーム３が裂けたり、釣り針５がセットした位置からずれたり、といったことを飛躍的に減らすことが可能となった。また、網目状帯部分４が網目状に構成されているため、釣り針５を通す際に、網目を開けたり閉めたりすることが可能である。これは、釣りの動作において、釣り針５の位置が完全に固定されていると、魚がかかり、暴れた際などには、魚がばれる(釣り針が外れる)を誘発する恐れがあるため、釣り針５をセットする位置を完全に固定するのではなく、ある程度の自由度を持たせることが必要であるため、網目状帯部分４を網目状に構成しているものである。さらにまた、本実施の形態１については、一般的にマス針と呼ばれる釣り針を用いて説明したが、オフセットフックやストレートフックと呼ばれる釣り針形状を用いた場合でも、釣り針を係止する効果が得ることができる。
【００１４】
図４は、本発明の実施の形態２を示した図である。図４において、１と２は、図１と同じで、７は、網目状帯部分２と錘を接続するための接続手段、８は、錘を示す。図４において、先端部１は、接着剤や半田等で、ワームを貫通させる程度の強度を有している。また、錘８を棒形状として示しているが、錘８の形状を特に限定するものではない。さらに、錘８の質量は、任意に設定することが可能である。ここで、図４に示した釣り針係止冶具をワームに挿入する場合、図２で示した方法と同様に行い、不要になった先端部１をカットして使用することが望ましい。
【００１５】
次に、図５を用いて、図４で示した網目状帯部分２をワームに内蔵したものに釣り針をセットした例を示す。図において、３から６は図３と同じで、７と８は、図４と同じである。次に、図５における釣り針のセット方法について説明する。まず、図３と同様に、釣り針５の先端を、ワーム３の外側から差し込み、網目状帯部分４における網目の隙間を通し、さらに、ワームの外径に達するまで貫通させる。ここで、接続手段７が、ワーム３の外径に差し掛かるか、もしくは、ワーム３に内蔵される程度にセットすると、錘８を、ワーム３に対して十分に近い位置にセットすることができる。つまり、実施の形態１で示したように、網目状帯部分４をワーム３の内部に内蔵することで、釣り針５を介して、２つの穴６に集中していた応力を、網目状帯部分４全体で受け止めつつ、錘８をセットすることができる。また、網目状帯部分４の幅が、ワーム３の断面積に対して、平面状に食いついている状態となるため、穴６のように２点ではなく、網目状帯部分４のように面で応力を受け止めることで、応力を分散することができる。結果として、ルアーフィッシングにおけるキャスト動作を繰り返したり、魚が掛かったりすることを繰り返しても、ワーム３が裂けたり、釣り針５がセットした位置からずれたり、といったことを飛躍的に減らすことができると同時に、錘８をセットすることが可能となった。
【００１６】
図６は、本発明の実施の形態３を示した図である。図６において、１と２は、図１と同じで、９は、網目状帯部分２とフェザーを接続するための接続手段、１０は、動物の毛や、鳥の羽、もしくはそれらを模造したフェザーを示す。図６において、先端部１は、接着剤や半田等で、ワームを貫通させる程度の強度を有している。ここで、図５で示した例と同様に、前記先端部１を、釣り針をセットしたい任意の位置に刺し込み、先端部１がワームの外径に達するまで、十分に刺し込むことで、ワームの内部に、網目状帯部分２が挿入されることになる。ここで、接続手段９が、ワームの外径に差し掛かるか、もしくは、ワームに内蔵される程度にセットすると、フェザー１０を、ワームに対して十分に近い位置にセットすることができる。さらに、ここで、図２に示したように、不要になった先端部分をカットしたとすると、ワームに、釣り針を係止するための網目状帯部分２が内蔵されると同時に、フェザー１０をセットすることが可能となる。
【００１７】
また、実施の形態２における図５と同様に、フェザー１０が接続された釣り針係止冶具をワームにセットした場合、ルアーフィッシングにおけるキャスト動作を繰り返したり、魚が掛かったりすることを繰り返しても、ワームが裂けたり、釣り針がセットした位置からずれたり、といったことを飛躍的に減らすことができると同時に、ワームにフェザー１０をセットすることが可能となり、より効果的に魚を誘うことができる。
【００１８】
図７は、本発明の実施の形態４を示した図である。図７において、１と２は、図１と同じで、１１は、網目状帯部分２とアイを接続するための接続手段、１２は、輪形状をした冶具（アイ）を示す。図７において、先端部１は、接着剤や半田等で、ワームを貫通させる程度の強度を有している。ここで、図５で示した例と同様に、前記先端部１を、釣り針をセットしたい任意の位置に刺し込み、先端部１がワームの外径に達するまで、十分に刺し込むことで、ワームの内部に、網目状帯部分２が挿入されることになる。ここで、接続手段１１が、ワームの外径に差し掛かるか、もしくは、ワームに内蔵される程度にセットすると、アイ１２を、ワームに対して十分に近い位置にセットすることができる。さらに、ここで、図２に示したように、不要になった先端部分をカットしたとすると、ワームに、釣り針を係止するための網目状帯部分２が内蔵されると同時に、アイ１２をセットすることが可能となる。
【００１９】
次に、図８を用いて、図７で示した網目状帯部分２をワームに内蔵し、釣り針をセットした例を示す。図において、３から６は、図３と同じで、１１と１２は、図７と同じで、１３は、アイ１２と接続する際に、交換を容易にする冶具を有した錘を示す。次に、図８における釣り針のセット方法について説明する。まず、図５と同様に、釣り針５の先端を、ワーム３の外側から差し込み、網目状帯部分４における網目の隙間を通し、さらに、ワームの外径に達するまで貫通させる。ここで、接続手段１１が、ワーム３の外径に差し掛かるか、もしくは、ワーム３に内蔵される程度にセットすると、アイ１２を、ワーム３に対して十分に近い位置にセットすることができる。つまり、実施の形態２で示したように、網目状帯部分４をワーム３に内蔵することで、釣り針５を介して、２つの穴６に集中していた応力を、網目状帯部分４全体で受け止めつつ、アイ１２をセットすることができる。ここで、アイ１２は、錘１３と接続することを目的としており、錘１３が、図８に示したように、交換を容易にする冶具を有している場合、釣りの状況によって、錘１３の形状や質量を交換することが可能となる。これは、例えば、錘１３の質量を、１．６ｇから３．５ｇに交換してみたり、錘１３の形状を、棒形状から涙型形状に交換したりすることを意味し、アイ１２に取り付ける錘１３の質量や形状を限定するものではない。以上のことから、ルアーフィッシングにおけるキャスト動作を繰り返したり、魚が掛かったりすることを繰り返しても、ワーム３が裂けたり、釣り針５がセットした位置からずれたり、といったことを飛躍的に減らすことができると同時に、錘１３の質量や、形状を容易に交換することが可能となる。
【００２０】
図９は、本発明の実施の形態５を示した図である。図９において、１と２は、図１と同じで、１４は、網目状帯部分２とヨリ戻し付きアイを接続するための接続手段、１５は、輪形状をした冶具（アイ）と、釣り糸のヨリを戻すための冶具で構成されたヨリ戻し付きアイを示す。ここでヨリ戻し付きアイについて、説明すると、一般的に釣り道具として、広く普及している、ヨリ戻し付きアイは、釣り糸や錘を接続するためのアイを有し、このアイが、自由に回転できる構成となっている。このため、上記ヨリ戻し付きアイに接続された釣り糸や、錘が、自由に回転することが可能となるため、釣りの動作を続けることによって、発生する、道糸と呼ばれる釣り糸の部分に、ヨリやヨレが発生することを防ぐことができる。
図９において、先端部１は、接着剤や半田等で、ワームを貫通させる程度の強度を有している。ここで、図５で示した例と同様に、前記先端部１を、釣り針をセットしたい任意の位置に刺し込み、先端部１がワームの外径に達するまで、十分に刺し込むことで、ワームの内部に、網目状帯部分２が挿入されることになる。ここで、接続手段１４が、ワームの外径に差し掛かるか、もしくは、ワームに内蔵される程度にセットすると、ヨリ戻し付きアイ１５を、ワームに対して十分に近い位置にセットすることができる。さらに、ここで、図２に示したように、不要になった先端部分をカットしたとすると、ワームに、釣り針を係止するための網目状帯部分２が内蔵されると同時に、ヨリ戻し付きアイ１５をセットすることが可能となる。
【産業上の利用可能性】
【００２１】
本発明は、ルアーフィッシングにおける、ワームに釣り針を係止するための、釣り針係止冶具に関するものであり、ワームを貫通させるための先端部と、網目状帯部分を有することを特徴とし、釣りの動作を続けることによって、ワームが裂けたり、身切れしたり、ワームに釣り針をセットした位置がずれたりしにくくすることができる。
【符号の説明】
【００２２】
１    先端部
２    網目形状の帯部分
３    ワーム
４    不要な部分をカットした網目形状の帯部分
５    釣り針
６    穴
７    接続手段
８    錘
９    接続手段
１０    フェザー
１１    接続手段
１２    アイ
１３    錘
１４    接続手段
１５    ヨリ戻し付きアイ
【図１】
0006364344.tif 000002
【図２】
0006364344.tif 000003
【図３】
0006364344.tif 000004
【図４】
0006364344.tif 000005
【図５】
0006364344.tif 000006
【図６】
0006364344.tif 000007
【図７】
0006364344.tif 000008
【図８】
0006364344.tif 000009
【図９】
0006364344.tif 000010
【図１０】
0006364344.tif 000011
【図１１】
0006364344.tif 000012
【図１２】
0006364344.tif 000013